(57)【要約】  【課題】  経時変化による胴表面の模様の劣化をなくすことができるとともに、模様の変更を可能にして模様のバリエーションを得ることができる水栓を提供すること。  【解決手段】  弁を収容する胴３と、前記弁に連動連結する操作部材７とを有する水栓本体が水栓取付面部２上に設置されている水栓１において、鍔状部材９を胴下部１０の周囲を囲むようにして水栓取付面部２上に設けるとともに、前記胴３の表面３ａが鏡面に形成されている。  【選択図】      図１
2008202335.tif 000002
【特許請求の範囲】
【請求項１】
弁を収容する胴と、前記弁に連動連結する操作部材とを有する水栓本体が水栓取付面部上に設置されている水栓において、鍔状部材を胴下部の周囲を囲むようにして水栓取付面部上に設けるとともに、前記胴の表面が鏡面に形成されていることを特徴とする水栓。
【請求項２】
前記鍔状部材は、表面に模様が施されている請求項１に記載の水栓。
【請求項３】
前記鍔状部材は、表面に透光窓を有するとともに、ＬＥＤが収容されている請求項１または請求項２に記載の水栓。
【請求項４】
前記鍔状部材は、前記胴と別体に、または、一体に設けられている請求項１〜請求項３のいずれかに記載の水栓。
【請求項５】
前記鍔状部材は、交換可能なように少なくとも二分割されており、胴は、楕円体の長軸方向における両端を切り取ってなる外観形状を有する請求項１〜請求項４のいずれかに記載の水栓。
【請求項６】
前記鍔状部材は、その表面の溜水を排出する水抜流路を有する請求項１〜請求項５のいずれかに記載の水栓。
【発明の詳細な説明】
【技術分野】
【０００１】
この発明は、弁を収容する胴と、前記弁に連動連結する操作部材とを有する水栓本体が水栓取付面部上に設置されている水栓に関するものである。
【背景技術】
【０００２】
従来この種の水栓として、主として胴の表面に漆等で模様を描画したものがある。
【発明の開示】
【発明が解決しようとする課題】
【０００３】
しかしながら、経時変化に伴って前記模様が胴表面から剥離したりして耐久性に問題がある。また、模様のバリエーションは期待できず模様が固定化されたままであった。
【０００４】
この発明は、上述の事柄に留意してなされたもので、その目的は、経時変化による胴表面の模様の劣化をなくすことができるとともに、模様の変更を可能にして模様のバリエーションを得ることができる水栓を提供することである。
【課題を解決するための手段】
【０００５】
上記目的を達成するために、この発明の水栓は、弁を収容する胴と、前記弁に連動連結する操作部材とを有する水栓本体が水栓取付面部上に設置されている水栓において、鍔状部材を胴下部の周囲を囲むようにして水栓取付面部上に設けるとともに、前記胴の表面が鏡面に形成されていることを特徴としている。
【発明の効果】
【０００６】
この発明では、胴の表面が鏡面に形成されており、水栓取付面部上に設けた鍔状部材が胴下部の周囲を囲んでいるので、鍔状部材を胴表面に映し出すことができる。そのため、例えば表面に好みの模様が施された特徴的構成を有する鍔状部材を用意しておけば、前記模様を胴表面に映し出すことができる。そして、前記模様が胴表面に映し出される構成を採用しているので、従来のように経時変化に伴って模様が胴表面から剥離したりするおそれはなくなる。
【発明を実施するための最良の形態】
【０００７】
以下、この発明の実施の形態を、図を参照しながら説明する。なお、それによってこの発明は限定されるものではない。
【０００８】
図１〜図５は、表面に模様が施されている鍔状部材を備えたこの発明の第１の実施の形態を示す。
図１〜図５において、１は、例えばポップアップ機構を備え、洗面台の取付面部２に設置された湯水混合水栓である。湯水混合水栓１の水栓本体１ａの胴３は、取付面部２に形成してある一つの貫通穴４に挿入された取付足５を固定した状態で取付面部２上に設置されている。前記胴３は例えば合成樹脂製または金属製で、メッキが施されて鏡面とされた表面３ａを有する。この胴３は、楕円体の長軸方向における両端を切り取ってなる外観形状を有し、止水・吐水機能、湯・水を混合する機能および流量を調節する機能を有する弁を備えた例えば弁ユニット（図示せず）を収容するとともに、図示はしないが、水または湯水混合水の導出口部と、上流の湯供給流路に連通する湯導入流路、上流の水供給流路に連通する水導入流路および弁ユニット内で混合された湯水混合水または弁ユニット内を通った水の前記導出口部への流路を形成する導出穴とを有する。また、胴３は、ポップアップ棒６が挿通可能な挿通穴（図示せず）を背面および底面間を貫通させた状態で有する。  ７は、前記弁に連動連結された操作部材である。この操作部材７の操作によって止水・吐水状態の切替操作と湯・水混合水の温度調整と流量調節が行われる。この操作部材７も胴３と同様に、例えば合成樹脂製または金属製で、メッキが施された表面７ａを有して操作部材７の表面が鏡面に形成されている。８は、吐水管で、前記導出口部に連通するよう先端に吐水口部８ａを備えた状態で胴３に設けられており、例えば銅製の棒体を鍛造で加工成形してなる。吐水管８の表面８ｂは鏡面に形成されている。
【０００９】
９は、平面視環状形状をなす鍔状部材で、胴下部１０の全周囲を囲むようにして取付面部２上に設けられている。この鍔状部材９は、例えばセラミックスや不透明の合成樹脂あるいは陶器よりなる。鍔状部材９は、胴下部１０が内嵌可能な大きさに形成された中央穴９ａを有するとともに、緩やかなすり鉢形状で胴３側に向くよう構成された内向き表面（内向き上面）１１を有する一方、上端ｍから下端ｎにかけて内側に傾斜する環状傾斜面１２とこの環状傾斜面１２から下方に連なり中央穴９ａの周縁ｐに至る環状平坦面１３を有する。環状平坦面１３は取付面部２の上面２ａに当接している。  
そして、鍔状部材９の内向き表面（内向き上面）１１には、多数の色付きの模様Ｄが形成されている。この模様は白黒であってもよく、白黒以外のカラー模様であってもよく、これらの色を組み合わせた模様であってもよい。なお、図４、図５においては、前記模様Ｄを省略してある。
さらに、この実施形態では、鍔状部材９が交換できるように、一対の部材部分１４，１５に二分割されている。これにより、使用者は模様のバリエーションを楽しむことができる。これら部材部分１４，１５は結合手段を除いて同一構成である。前記結合手段は、図４、図５に示すように、部材部分１４の両端部１４ａ，１４ａに設けた係合孔１７と、この係合孔１７に係止するよう部材部分１５の両端部１５ａ，１５ａに設けた上下一対で径方向に複数列設けた係止爪１８よりなる。図１、図２において、２０は、部材部分１４，１５の継目である。  
また、前記鍔状部材９は、その表面１１の溜水を排出する水抜流路ｉを有している。図３において黒く塗潰した部分２１は水抜孔の入口であり、黒く塗潰した部分２２は水抜孔の出口であり、溜水は、入口２１から鍔状部材９の内部空間Ｓに至り、出口から排出されうる。水抜流路ｉは複数設けるのが好ましい。
【００１０】
而して、表面１１に複数の模様Ｄが施された鍔状部材９を胴下部１０の全周囲を囲むようにして取付面部２上に設けるとともに、胴３、吐水管８および操作部材７の表面３ａ，８ｂ，７ａを鏡面に形成したので、これら表面３ａ，８ｂ，７ａに、図１、図３に示されるような模様Ｄ’が映し出されることになり、模様Ｄ’は使用者によって目視可能となる。そして、鍔状部材９を、洗面室の環境、雰囲気により異なる模様のものに取り替えることにより、使用者は住環境の変化を楽しむことができる。    
【００１１】
図６は、鍔状部材９の表面１１に模様Ｄ以外に複数の透光窓３０を設け、鍔状部材９の内部空間Ｓに複数のＬＥＤ３１を収容したこの発明の第２の実施の形態を示す。図６において、図１〜図５に示した符号と同一のものは同一または相当物である。
図６において、ＬＥＤ３１は、透光窓３０を通過し胴３の表面３０ａに投射される光３２を発する。そのため、表面３０ａで反射された反射光３２’は模様Ｄ’と共に使用者によって目視可能となる。このように模様Ｄ’以外にＬＥＤ３１からの反射光３２’も加味したので、より装飾効果を向上させることができる。また、ＬＥＤ３１の異なる色を組み合わせることにより装飾効果は倍増する。
なお、鍔状部材９から模様Ｄをなくしても、ＬＥＤ３１光源を用いたことによる装飾効果は模様Ｄを設ける場合と同様高いものである。
【図面の簡単な説明】
【００１２】
【図１】この発明の第１の実施の形態における水栓の使用状態を示す斜視図である。
【図２】上記実施の形態における使用状態を示す構成説明図である。
【図３】上記実施の形態における使用状態を示す要部斜視図である。
【図４】上記実施の形態で用いた鍔状部材（模様は図示せず）を示す平面図である。
【図５】上記実施の形態で用いた鍔状部材（模様は図示せず）の結合手段を示す縦断面図である。
【図６】この発明の第２の実施の形態における水栓の使用状態を示す要部構成説明図である。
【符号の説明】
【００１３】
１          水栓
２          水栓取付面部
３          胴
３ａ        表面
７          操作部材
９          鍔状部材
１０        胴下部
【図１】
2008202335.tif 000003
【図２】
2008202335.tif 000004
【図３】
2008202335.tif 000005
【図４】
2008202335.tif 000006
【図５】
2008202335.tif 000007
【図６】
2008202335.tif 000008